(57)【要約】【課題】操作部の後端から電池ケースカバーにこぼれ落ちた煮汁等の落下物が、電池ケースカバーの後端から電池ケース内にこぼれ落ちるのを抑制することができる、加熱調理器の電池ケースの収納構造を提供する。【解決手段】加熱調理器の電池ケース６の収納構造である。操作部４は、前方Ｆに露出する位置と、加熱調理器の本体ケーシング内に収納される位置との間で移動可能となる。電池ケース６は、前方Ｆに突出する位置と、本体ケーシング内に収納される位置との間で移動可能となる。電池ケースカバー７は、本体ケーシング内の操作部４の下側で、かつ、電池ケース６の上側に設けられ、その後端７１は、操作部４の後端４２よりも後方Ｂで、かつ、電池ケース６の後端６１よりも前方Ｆに位置する。電池ケースカバー７の上面７０は、左右方向において側端縁７３に向けて下る傾斜７２を有する。【選択図】図６
2018181731.tif 000002
【特許請求の範囲】
【請求項１】
本体ケーシングと、
前記本体ケーシング内に収納される加熱手段と、
前記本体ケーシングの上面部に設けられて加熱対象が載置され、前記加熱手段により前記加熱対象を加熱するための加熱部と、
前記本体ケーシングの前面部に設けられ、前方に露出する操作部使用位置と前記本体ケーシング内に収納される操作部収納位置との間で移動可能な操作部と、
前記本体ケーシングの前面部から前方に突出する電池ケース引出位置と前記本体ケーシング内の前記操作部収納位置に位置する前記操作部の下側に収納される電池ケース収納位置との間で移動可能な電池ケースと、
前記本体ケーシング内の前記操作部収納位置に位置する前記操作部の下側で、かつ、前記本体ケーシング内の前記電池ケース収納位置に位置する前記電池ケースの上側に設けられ、前記操作部からの落下物が前記電池ケース内に侵入するのを阻止する電池ケースカバーと、を備える加熱調理器の電池ケースの収納構造であって、
前記電池ケースカバーの後端は、前記操作部収納位置に位置する前記操作部の後端よりも後方に位置するとともに、前記電池ケース収納位置に位置する前記電池ケースの後端よりも前方に位置し、
前記電池ケースカバーの上面は、左右方向において側端縁に向けて下る傾斜を有する、加熱調理器の電池ケースの収納構造。
【請求項２】
本体ケーシングと、
前記本体ケーシング内に収納される加熱手段と、
前記本体ケーシングの上面部に設けられて加熱対象が載置され、前記加熱手段により前記加熱対象を加熱するための加熱部と、
前記本体ケーシングの前面部に設けられ、前方に露出する操作部使用位置と前記本体ケーシング内に収納される操作部収納位置との間で移動可能な操作部と、
前記本体ケーシングの前面部から前方に突出する電池ケース引出位置と前記本体ケーシング内の前記操作部収納位置に位置する前記操作部の下側に収納される電池ケース収納位置との間で移動可能な電池ケースと、
前記本体ケーシング内の前記操作部収納位置に位置する前記操作部の下側で、かつ、前記本体ケーシング内の前記電池ケース収納位置に位置する前記電池ケースの上側に設けられ、前記操作部からの落下物が前記電池ケース内に侵入するのを阻止する電池ケースカバーと、を備える加熱調理器の電池ケースの収納構造であって、
前記電池ケースカバーの後端は、前記操作部収納位置に位置する前記操作部の後端よりも後方に位置するとともに、前記電池ケース収納位置に位置する前記電池ケースの後端よりも前方に位置し、
前記電池ケースカバーの上面の前記操作部収納位置に位置する前記操作部の後端よりも後方に位置する部分に、前記電池ケースカバーの左右方向を長手方向として上方に突出する壁部を有する、加熱調理器の電池ケースの収納構造。
【請求項３】
本体ケーシングと、
前記本体ケーシング内に収納される加熱手段と、
前記本体ケーシングの上面部に設けられて加熱対象が載置され、前記加熱手段により前記加熱対象を加熱するための加熱部と、
前記本体ケーシングの前面部に設けられ、前方に露出する操作部使用位置と前記本体ケーシング内に収納される操作部収納位置との間で移動可能な操作部と、
前記本体ケーシングの前面部から前方に突出する電池ケース引出位置と前記本体ケーシング内の前記操作部収納位置に位置する前記操作部の下側に収納される電池ケース収納位置との間で移動可能な電池ケースと、
前記本体ケーシング内の前記操作部収納位置に位置する前記操作部の下側で、かつ、前記本体ケーシング内の前記電池ケース収納位置に位置する前記電池ケースの上側に設けられ、前記操作部からの落下物が前記電池ケース内に侵入するのを阻止する電池ケースカバーと、を備える加熱調理器の電池ケースの収納構造であって、
前記電池ケースカバーの後端は、前記操作部収納位置に位置する前記操作部の後端よりも後方に位置するとともに、前記電池ケース収納位置に位置する前記電池ケースの後端よりも前方に位置し、
前記電池ケースカバーの上面は、左右方向において側端縁に向けて下る傾斜を有し、
前記電池ケースカバーの上面の前記操作部収納位置に位置する前記操作部の後端よりも後方に位置する部分に、前記電池ケースカバーの左右方向を長手方向として上方に突出する壁部を有する、加熱調理器の電池ケースの収納構造。
【請求項４】
前記電池ケースカバーの上面の前記傾斜は、左右方向において中間部から両側の前記側端縁の方へ行くにしたがって下方に位置する、請求項１または３に記載の加熱調理器の電池ケースの収納構造。
【請求項５】
前記電池ケースカバーの上面の前記傾斜は、左右方向における一方の前記側端縁から他方の前記側端縁の方へ行くにしたがって下方に位置する、請求項１または３に記載の加熱調理器の電池ケースの収納構造。
【請求項６】
前記壁部の後方側の面に、前記操作部に接続される配線を保持する配線保持部を有する、請求項２または３に記載の加熱調理器の電池ケースの収納構造。
【請求項７】
前記操作部とともに移動する基部を有し、
前記基部は、前記操作部が前記操作部収納位置に位置する状態において、前記電池ケースカバーの上面との間に所定の隙間を確保するために前記傾斜の頂点部から逃げる逃げ凹部を有する、請求項１または３に記載の加熱調理器の電池ケースの収納構造。
【発明の詳細な説明】
【技術分野】
【０００１】
本発明は、加熱調理器の電池ケースの収納構造に関する。
【背景技術】
【０００２】
従来、特許文献１に示されるような加熱調理器の電池ケースの収納構造が知られている。
【０００３】
特許文献１には、ケース本体と支持枠とで構成される乾電池ケースが記載されている。ケース本体は、上方に開口する箱状をした部材で、内部に乾電池を保持する。支持枠は、コンロ本体に設けられ、コンロ本体内に収納されたケース本体の上方を覆うカバー部を有する筒状をした部材である。ケース本体は、コンロ本体の前面部から前方に引き出された状態と、コンロ本体内に収納された状態との間で移動可能となる。カバー部（支持枠）の上面は、平坦であるとともに、その後端は、コンロ本体内に収納されたケース本体の後端よりも前方に位置している。
【先行技術文献】
【特許文献】
【０００４】
【特許文献１】特開２０１６−１０３４３５号公報
【特許文献２】特許第５０１５５０２号公報
【発明の概要】
【発明が解決しようとする課題】
【０００５】
ところで、コンロ本体の前面部に、前方に露出する状態と、コンロ本体内に収納される状態との間で移動可能となるように、上面に操作部面を有し、上部が回動して開閉する方式（カンガルーポケット式という）の操作部を備える加熱調理器が知られている（例えば特許文献２参照）。
【０００６】
特許文献１に示されるような乾電池ケースの上側に、特許文献２に示されるような操作部を備えた加熱調理器は、問題が生じ得るものであった。
【０００７】
すなわち、特許文献２に示される操作部にあっては、前方に露出しているときに煮汁等が付着し、煮汁等が付着した状態でコンロ本体内に収納されると、コンロ本体内において煮汁等が操作部の後端からこぼれ落ちるおそれがある。カバー部（支持枠）の後端が、コンロ本体内に収納された操作部の後端よりも後方に位置することで、操作部の後端からこぼれ落ちる煮汁等がカバー部に受けられて、こぼれ落ちる煮汁等がケース本体内の乾電池や端子等に直接接触することが防止される。
【０００８】
しかしながら、煮汁等が大量に操作部に付着した場合、操作部の後端からカバー部に煮汁等が大量にこぼれ落ちて、平坦なカバー部の上面を後方へ伝い、カバー部の上面の後端からケース本体内に煮汁等がこぼれ落ちてしまうおそれがあった。
【０００９】
本発明は上記従来の問題点に鑑みて発明したものであって、その目的とするところは、操作部の後端から電池ケースカバーにこぼれ落ちた煮汁等が、電池ケースカバーの後端から電池ケース内にこぼれ落ちるのを抑制することができる、加熱調理器の電池ケースの収納構造を提供することにある。
【課題を解決するための手段】
【００１０】
本発明の請求項１に係る発明は、本体ケーシングと、加熱手段と、加熱部と、操作部と、電池ケースと、電池ケースカバーと、を備える加熱調理器の電池ケースの収納構造である。
【００１１】
前記加熱手段は、前記本体ケーシング内に収納される。
【００１２】
前記加熱部は、前記本体ケーシングの上面部に設けられて加熱対象が載置され、前記加熱手段により前記加熱対象を加熱する。
【００１３】
前記操作部は、前記本体ケーシングの前面部に設けられ、前方に露出する操作部使用位置と、前記本体ケーシング内に収納される操作部収納位置との間で移動可能となる。
【００１４】
前記電池ケースは、前記本体ケーシングの前面部から前方に突出する電池ケース引出位置と、前記本体ケーシング内の前記操作部収納位置に位置する前記操作部の下側に収納される電池ケース収納位置との間で移動可能となる。
【００１５】
前記電池ケースカバーは、前記本体ケーシング内の前記操作部収納位置に位置する前記操作部の下側で、かつ、前記本体ケーシング内の前記電池ケース収納位置に位置する前記電池ケースの上側に設けられ、前記操作部からの落下物が前記電池ケース内に侵入するのを阻止する。
【００１６】
前記電池ケースカバーの後端は、前記操作部収納位置に位置する前記操作部の後端よりも後方に位置するとともに、前記電池ケース収納位置に位置する前記電池ケースの後端よりも前方に位置する。
【００１７】
前記電池ケースカバーの上面は、左右方向において側端縁に向けて下る傾斜を有する。
【００１８】
本発明の請求項２に係る発明は、本体ケーシングと、加熱手段と、加熱部と、操作部と、電池ケースと、電池ケースカバーと、を備える加熱調理器の電池ケースの収納構造である。
【００１９】
前記加熱手段は、前記本体ケーシング内に収納される。
【００２０】
前記加熱部は、前記本体ケーシングの上面部に設けられて加熱対象が載置され、前記加熱手段により前記加熱対象を加熱する。
【００２１】
前記操作部は、前記本体ケーシングの前面部に設けられ、前方に露出する操作部使用位置と、前記本体ケーシング内に収納される操作部収納位置との間で移動可能となる。
【００２２】
前記電池ケースは、前記本体ケーシングの前面部から前方に突出する電池ケース引出位置と、前記本体ケーシング内の前記操作部収納位置に位置する前記操作部の下側に収納される電池ケース収納位置との間で移動可能となる。
【００２３】
前記電池ケースカバーは、前記本体ケーシング内の前記操作部収納位置に位置する前記操作部の下側で、かつ、前記本体ケーシング内の前記電池ケース収納位置に位置する前記電池ケースの上側に設けられ、前記操作部からの落下物が前記電池ケース内に侵入するのを阻止する。
【００２４】
前記電池ケースカバーの後端は、前記操作部収納位置に位置する前記操作部の後端よりも後方に位置するとともに、前記電池ケース収納位置に位置する前記電池ケースの後端よりも前方に位置する。
【００２５】
前記電池ケースカバーの上面の前記操作部収納位置に位置する前記操作部の後端よりも後方に位置する部分に、前記電池ケースカバーの左右方向を長手方向として上方に突出する壁部を有する。
【００２６】
本発明の請求項３に係る発明は、本体ケーシングと、加熱手段と、加熱部と、操作部と、電池ケースと、電池ケースカバーと、を備える加熱調理器の電池ケースの収納構造である。
【００２７】
前記加熱手段は、前記本体ケーシング内に収納される。
【００２８】
前記加熱部は、前記本体ケーシングの上面部に設けられて加熱対象が載置され、前記加熱手段により前記加熱対象を加熱する。
【００２９】
前記操作部は、前記本体ケーシングの前面部に設けられ、前方に露出する操作部使用位置と、前記本体ケーシング内に収納される操作部収納位置との間で移動可能となる。
【００３０】
前記電池ケースは、前記本体ケーシングの前面部から前方に突出する電池ケース引出位置と、前記本体ケーシング内の前記操作部収納位置に位置する前記操作部の下側に収納される電池ケース収納位置との間で移動可能となる。
【００３１】
前記電池ケースカバーは、前記本体ケーシング内の前記操作部収納位置に位置する前記操作部の下側で、かつ、前記本体ケーシング内の前記電池ケース収納位置に位置する前記電池ケースの上側に設けられ、前記操作部からの落下物が前記電池ケース内に侵入するのを阻止する。
【００３２】
前記電池ケースカバーの後端は、前記操作部収納位置に位置する前記操作部の後端よりも後方に位置するとともに、前記電池ケース収納位置に位置する前記電池ケースの後端よりも前方に位置する。
【００３３】
前記電池ケースカバーの上面は、左右方向において側端縁に向けて下る傾斜を有する。
【００３４】
前記電池ケースカバーの上面の前記操作部収納位置に位置する前記操作部の後端よりも後方に位置する部分に、前記電池ケースカバーの左右方向を長手方向として上方に突出する壁部を有する。
【００３５】
また、請求項４に係る発明は、請求項１または３に係る発明において、前記電池ケースカバーの上面の前記傾斜は、左右方向において中間部から両側の前記側端縁の方へ行くにしたがって下方に位置する。
【００３６】
また、請求項５に係る発明は、請求項１または３に係る発明において、左右方向における一方の前記側端縁から他方の前記側端縁の方へ行くにしたがって下方に位置する。
【００３７】
また、請求項６に係る発明は、請求項２または３に係る発明において、前記壁部の後方側の面に、前記操作部に接続される配線を保持する配線保持部を有する。
【００３８】
また、請求項７に係る発明は、請求項１または３に係る発明において、前記操作部とともに移動する基部を有し、前記基部は、前記操作部が前記操作部収納位置に位置する状態において、前記電池ケースカバーの上面との間に所定の隙間を確保するために前記傾斜の頂点部から逃げる逃げ凹部を有する。
【発明の効果】
【００３９】
請求項１に係る発明にあっては、煮汁が電池ケースカバーの上面の後端に到達するまでに傾斜によって左右の側端縁からこぼれ落ちやすくなるため、煮汁が電池ケースカバーの上面の後端に到達しにくく、電池ケースカバーの後端から電池ケース内にこぼれ落ちるのを抑制することができる。
【００４０】
請求項２に係る発明にあっては、壁部により煮汁が後方へ伝うのが抑制されるため、煮汁が電池ケースカバーの上面の後端に到達しにくく、電池ケースカバーの後端から電池ケース内にこぼれ落ちるのを抑制することができる。
【００４１】
請求項３に係る発明にあっては、煮汁が電池ケースカバーの上面の後端に到達するまでに傾斜によって左右の側端縁からこぼれ落ちやすくなるとともに、壁部により煮汁が後方へ伝うのが抑制されるため、煮汁が電池ケースカバーの上面の後端に到達しにくく、電池ケースカバーの後端から電池ケース内にこぼれ落ちるのを抑制することができる。
【００４２】
請求項４に係る発明にあっては、より一層煮汁が電池ケースカバーの上面の後端に到達しにくくなる。
【００４３】
請求項５に係る発明にあっては、上面に、下る方向が異なる二つの傾斜を形成する必要がなくなる。
【００４４】
請求項６に係る発明にあっては、操作部の上面や電池ケースカバーの上面に付着している煮汁に触れないように、配線を配線保持部により保持させることにより、配線に煮汁が付着したり、さらに配線に付着した煮汁が別の部材に付着したりして、煮汁による汚れが広がるのを抑制することができる。
【００４５】
請求項７に係る発明にあっては、電池ケースカバーの上面に付着している煮汁が基部に触れて、上面と基部との間を毛細管現象によって伝って、煮汁による汚れが広がるのを抑制することができる。
【図面の簡単な説明】
【００４６】
【図１】図１は、本発明の第１実施形態に係る加熱調理器の前斜め上方より見た斜視図である。
【図２】図２は、同上の加熱調理器の加熱手段の構成図である。
【図３】図３は、同上の加熱調理器の右側の操作部が操作部使用位置に位置する状態の前斜め上方より見た斜視図である。
【図４】図４は、同上の加熱調理器の右側の操作部が操作部使用位置に位置する状態の後斜め上方より見た斜視図である。
【図５】図５は、同上の加熱調理器の右側の操作部が操作部収納位置に位置して下側の前面パネルを除いた状態の前斜め上方より見た斜視図である。
【図６】図６は、同上の加熱調理器の右側の操作部が操作部収納位置に位置する状態の後斜め上方より見た斜視図である。
【図７】図７は、同上の加熱調理器の回動枠の後斜め上方より見た斜視図である。
【図８】図８は、同上の加熱調理器の枠体の後斜め上方より見た斜視図である。
【図９】図９は、本発明の第２実施形態に係る加熱調理器の枠体の後斜め上方より見た斜視図である。
【発明を実施するための形態】
【００４７】
本発明に係る加熱調理器の電池ケースの収納構造の第１実施形態について、図１〜図８に基いて説明する。
【００４８】
第１実施形態における加熱調理器１は、キッチンカウンターに形成された凹部に設置されるビルトイン型のグリル付きガスコンロである。
【００４９】
図１に示すように、加熱調理器１は、本体ケーシング２と、加熱手段３と、加熱部１１と、操作部４と、制御部（不図示）と、を備える。本体ケーシング２は、上方に開口する筐体２０と、筐体２０の上開口を覆う天板２１とを備える。加熱手段３は、コンロバーナ３０およびグリルバーナ（不図示）により構成される。制御部は、マイクロコンピュータを有し、操作部４からの操作を受けて加熱手段３を制御する。加熱手段３および制御部は本体ケーシング２内に収納される。操作部４は、基板４０と、基板４０に設けられるボタン、スイッチ、タッチパネル等を有するが、形態は特に限定されない。操作部４については後述する。
【００５０】
ここで、加熱調理器１における前後方向を定義する。図１に示すように、設計上、加熱調理器１に対して使用者が位置する方を前方Ｆとするとともにその反対を後方Ｂとする。左右については、後方Ｂを向いた時の左方Ｌおよび右方Ｒとする。
【００５１】
第１実施形態では、天板２１の前部の左部に左コンロバーナ３０Ａが設けられ、天板２１の後部の左右方向中央に奥コンロバーナ３０Ｂが設けられ、天板２１の全部の右部に右コンロバーナ３０Ｃが設けられる。天板２１の各コンロバーナ３０Ａ〜Ｃが設けられる部分にコンロバーナ挿通口（不図示）がそれぞれ形成され、各コンロバーナ挿通口を挿通してコンロバーナ３０の略円形状をした上部がそれぞれ上方に露出する。
【００５２】
本体ケーシング２の上面部２２を構成する天板２１には、その上面のコンロバーナ挿通口の周囲に、調理容器等の加熱対象が載置される五徳１１１が設置されている。第１実施形態では、コンロバーナ３０が、加熱手段３により加熱対象を加熱するための加熱部１１を構成する。
【００５３】
加熱調理器１は、グリル１２を備えている。グリル１２は、本体ケーシング２内に収納されるグリル庫１２０を有する。グリル庫１２０は、内部にグリルバーナを備え、内部空間を燃焼室とするものである。燃焼室から後方Ｂに向けて、グリルバーナからの燃焼排気を排出するための排気通路が連設されている。排気通路の下流端は、天板２１の後部の下側に位置しており、天板２１の後部に設けられた排気口２１１から天板２１の上方に排出される。グリル庫１２０は、前開口を有しており、前開口を介して前方Ｆより加熱対象を出し入れ可能である。前開口には、グリル扉１２１が開閉自在に設けられる。グリル扉１２１は、本体ケーシング２の前面部２３を構成する。
【００５４】
加熱手段３について説明する。図２に示すように、各コンロバーナ３０、グリルバーナに燃料ガスを通流させるガス流路３１がそれぞれ設けられる。各ガス流路３１には、上流側より、安全弁３２、メイン弁３３および流量制御弁３４が設けられている。このような弁を有するガス流路３１を通流して、コンロバーナ３０およびグリルバーナに都市ガス等の燃料ガスが供給される。これらの構成部材は、本体ケーシング２内に収納されて、加熱手段３を構成する。なお、コンロバーナ３０の上端部等、加熱手段３の一部が本体ケーシング２外に位置してもよい。図２中の符号３５は点火プラグであり、符号３６は熱電対やサーミスタ等からなる点火検知装置である。
【００５５】
図１に示すように、グリル扉１２１の両側にはそれぞれ、本体ケーシング２の前面部２３を構成する前面パネル２４が設けられている。前面パネル２４は、図３、図４に示すように、本体ケーシング２の筐体２０の主体となる構造体の前フレーム２０１に取り付けられる化粧パネルである。
【００５６】
図１に示すように、前面部２３の左部の上部の前面パネル２４１には、左コンロバーナ３０Ａ用の点消火ボタン１３Ａと、奥コンロバーナ３０Ｂ用の点消火ボタン１３Ｂとが設けられている。前面部２３の右部の上部の前面パネル２４２には、グリルバーナ用の点消火ボタン１３Ｄと、右コンロバーナ３０Ｃ用の点消火ボタン１３Ｃとが設けられている。点消火ボタン１３Ａ〜１３Ｄを操作することで、加熱の開始（点火）または加熱の停止（消火）の指令を制御部に与えて、加熱手段３による加熱の開始または停止を行う。
【００５７】
また、前面パネル２４１、２４２には、流量制御弁３４の開度を手動で調節するための火力調節レバー１４が設けられている。火力調節レバー１４は、流量制御弁３４毎に設けられてもよいし、流量制御弁３４毎に設けられなくてもよい。
【００５８】
前面部２３の左部の下部の前面パネル２４３および前面部２３の右部の下部の前面パネル２４４には、図３、図４に示す前方Ｆに露出する操作部使用位置と、図１、図５、図６に示す本体ケーシング２内に収納される操作部収納位置との間で移動可能となる操作部４が設けられている。操作部４は、自動で各種の調理を行ったりするための操作を行うためのものであるが、操作の目的は特に限定されない。また、表示部等、操作部４以外の機器が並設されてもよい。
【００５９】
図３、図４に示すように、第１実施形態では、操作部４は、下部が枢支されて上部が回動するいわゆるカンガルーポケット機構の一部を構成する。図７に示すように、カンガルーポケット機構は、操作部４の基板４０が設けられて操作部４とともに移動する基部５０と、基部５０の左右の両側に連設される側枠部５１とからなる、正面視コ字状をした回動枠５により主体が構成される。側枠部５１は、側面視三角形状をしたもので、下端の頂点部に設けられた枢支部５１０が本体ケーシング２の前フレーム２０１に枢支される。側枠部５１の上側の辺５１１は、基部５０に連続している。側枠部５１の前側の辺５１２には、前面パネル２４４が着脱可能に取り付けられる。図５に、前面パネル２４４が取り外された状態の本体ケーシング２の前面部２３を示す。第１実施形態では、側枠部５１の前側の辺５１２における前面パネル２４４の後方Ｂに内蓋２４５が取り付けられている。
【００６０】
第１実施形態では、図３に示すように、操作部４は、前方Ｆに露出する操作部使用位置に位置している状態で、その上面４１の法線（不図示）が、上方から前方Ｆに１０〜２０°傾いた方向を向いている。また、操作部４は、図５、図６に示すように、本体ケーシング２内の操作部収納位置に位置している状態で、その上面４１の法線が、上方から後方Ｂに１０〜２０°傾いた方向を向いている。
【００６１】
図１に示す左右の操作部４のうち、右側の操作部４の下側に、図３、図４に示すように、電池ケース６が収納される。電池ケース６は、上方に開口する箱状をした部材で、内部に電池６０を保持する。電池ケース６は、電池ケース引出位置と電池ケース収納位置との間で移動可能となる。
【００６２】
電池ケース引出位置は、図示しないが、本体ケーシング２の前面部２３から前方Ｆに突出する位置である。第１実施形態では、図５に示すように、内蓋２４５に形成された開口２４６を介して、前面部２３の後方Ｂに収納されていた電池ケース６が前面部２３の前方Ｆに引き出される。
【００６３】
電池ケース収納位置は、図３、図４に示すように、本体ケーシング２内の操作部収納位置に位置する操作部４の下側に収納される位置である。図５に示すように、電池ケース収納位置に位置する電池ケース６の前端６２は、本体ケーシング２の前面部２３よりも若干後方Ｆに位置している。
【００６４】
図４に示すように、本体ケーシング２には、電池ケースカバー７が設けられる。電池ケースカバー７は、操作部４からの煮汁等の落下物（不図示）が電池ケース収納位置に位置する電池ケース６内に侵入するのを阻止するものである。第１実施形態では、図８、図４に示すように、電池ケースカバー７は、本体ケーシング２の前フレーム２０１に取り付けられる枠体２０２の一部として構成されている。
【００６５】
図６に示すように、電池ケースカバー７は、本体ケーシング２内の操作部収納位置に位置する操作部４の下側で、かつ、本体ケーシング２内の電池ケース収納位置に位置する電池ケース６の上側に設けられる。電池ケースカバー７の後端７１は、操作部収納位置に位置する操作部４の後端４２よりも後方Ｂに位置するとともに、電池ケースカバー７の前端（不図示）は、操作部収納位置に位置する操作部４の後端４２よりも前方Ｆに位置している。さらに、電池ケースカバー７の後端７１は、電池ケース収納位置に位置する電池ケース６の後端６１よりも前方Ｆに位置する。
【００６６】
このような電池ケースカバー７は、操作部４からの煮汁等の落下物（主に煮汁であるため、以下、単に煮汁という）を受けて、電池ケース６内に侵入するのを阻止する。図１に示すように、本体ケーシング２の上面部２２に位置する加熱部１１に鍋等の調理容器を載置して加熱調理を行うと、調理容器から煮汁が吹きこぼれることがある。吹きこぼれた煮汁は、本体ケーシング２の上面部２２を前方Ｆに伝って、本体ケーシング２の前面部２３を流下し、図３、図４に示す操作部使用位置に位置する操作部４の上面４１に付着することがある。特に、第１実施形態では、操作部使用位置に位置する操作部４の上面４１が概ね上方を向いているため、煮汁が操作部４の上面４１に滞留しやすい。
【００６７】
次に、図６に示すように、操作部４が操作部収納位置に移動すると、操作部４の上面４１に滞留している煮汁が、操作部４の上面４１の後端４２からこぼれ落ちることがある。特に、第１実施形態では、操作部収納位置に位置する操作部４の上面４１が後方Ｂに向けて下り傾斜しているため、操作部４の後端４２からこぼれ落ちやすい。操作部４の上面４１の後端４２からこぼれ落ちた煮汁は、操作部４の後端４２の下方に位置する電池ケースカバー７に受けられて、電池ケース６内にこぼれ落ちるのが阻止される。
【００６８】
電池ケースカバー７が受けた煮汁は、電池ケースカバー７の上面７０が特許文献１に示すカバー部のように平坦である場合には、電池ケースカバー７の上面７０に滞留するが、煮汁の量が少なければ特に問題は生じない。しかしながら、操作部使用位置に位置する操作部４の上面４１に大量の煮汁が付着して滞留していた場合に、操作部４が操作部収納位置に移動すると、操作部４の上面４１の後端４２から大量の煮汁がこぼれ落ちて、電池ケースカバー７の上面７０を後方Ｂへ伝い、電池ケースカバー７の上面７０の後端７１から電池ケース６内にこぼれ落ちるおそれがあった。
【００６９】
そこで、対策の一つとして、電池ケースカバー７の前後方向の長さを長くすることが考えられる。電池ケースカバー７の前後方向の長さを長くすれば、落下物が電池ケース６内に侵入するのを阻止する能力が向上するものの、加熱調理器１の組み立てがしにくくなるとともに加熱調理器１内の機器の配置の自由度が低下してしまう。また、図８に示すような複雑な形状をした枠体２０２の成形が一層しにくくなってしまう。
【００７０】
そこで、第１実施形態では、図５等に示すように、電池ケースカバーの上面７０を、左右方向において側端縁７３に向けて下る傾斜７２を有する形状にしている。さらに詳しくは、電池ケースカバー７の上面７０を、左右方向において中間部から両側の側端縁７３の方へ行くにしたがって下方に位置する傾斜７２を有する形状にしている。電池ケースカバー７の上面７０の左右方向の中央部に頂点部７２１が位置しており、この頂点部７２１から左方Ｌおよび右方Ｒにそれぞれ下り傾斜している。
【００７１】
電池ケースカバー７の上面７０をこのような傾斜７２を有する形状とすることにより、操作部４の上面４１の後端４２から大量の煮汁がこぼれ落ちて電池ケースカバー７の上面７０を後方Ｂへ伝う場合でも、煮汁が電池ケースカバー７の上面７０の後端７１に到達するまでに、左右の側方に流下して、電池ケースカバー７の上面７０の左右の側端縁７３からこぼれ落ち、電池ケース６の側方を落下することとなる。このように、電池ケースカバー７の上面７０が傾斜７２を有することにより、煮汁が電池ケースカバー７の上面７０の後端７１に到達しにくくなり、電池ケースカバー７の後端７１から電池ケース６内にこぼれ落ちるのを抑制することができる。特に、傾斜７２が、左右方向において中央部の頂点部７２１から両側の側端縁７３の方へ下る傾斜であるため、上面７０にこぼれ落ちた煮汁はいずれか近い方の側端縁７３からこぼれ落ちるため、より一層上面７０の後端７１に到達しにくくなる。
【００７２】
さらに第１実施形態では、加熱調理器１は、図４、図６に示すように、壁部８を有するものである。壁部８は、電池ケースカバー７の上面７０の操作部収納位置に位置する操作部４の後端４２よりも後方Ｂに位置する部分に、電池ケースカバー７の左右方向を長手方向として上方に突出する。壁部８は、電池ケースカバー７の上面７０の左右方向の全長または略全長にわたって設けられるのが好ましいが、特に全長に設けられなくてもよい。
【００７３】
操作部４の上面４１の後端４２から大量の煮汁が電池ケースカバー７の上面７０にこぼれ落ちても、電池ケースカバー７の上面７０を後方Ｂへ伝って壁部８に到達すると、壁部８により煮汁が後方Ｂへ伝うのが抑制される。これにより、煮汁が電池ケースカバー７の上面７０の後端７１により一層到達しにくくなり、電池ケースカバー７の後端７１から電池ケース６内にこぼれ落ちるのをより一層抑制することができる。
【００７４】
なお、第１実施形態では、壁部８は任意の構成であり、加熱調理器１に設けられなくてもよい。
【００７５】
さらに第１実施形態では、加熱調理器１は、図４、図６に示すように、壁部８の後方Ｂ側の面に、操作部４に接続される配線（不図示）を保持する配線保持部８１を有するものである。配線保持部８１としては、いわゆる締結バンドのような部材が好適に用いられるが、特に限定されない。
【００７６】
操作部４の上面４１や電池ケースカバー７の上面７０に付着している煮汁に触れないように、配線を配線保持部８１により保持させることができて、配線に煮汁が付着したり、さらに配線に付着した煮汁が別の部材に付着したりして、煮汁による汚れが広がるのを抑制することができる。
【００７７】
なお、第１実施形態では、配線保持部８１は任意の構成であり、加熱調理器１に設けられなくてもよい。
【００７８】
さらに第１実施形態では、加熱調理器１は、図６に示すように、操作部４が操作部収納位置に位置する状態において、電池ケースカバー７の上面７０との間に所定の隙間１５を確保するために傾斜の頂点部７２１から逃げる逃げ凹部５２が基部５０に設けられるものである。所定の隙間１５は、電池ケースカバー７の上面７０に煮汁が付着している場合に、上面７０に付着した煮汁が基部５０に触れないようにするもので、３ｍｍ、４ｍｍ、５ｍｍ、１０ｍｍ等に設定される。
【００７９】
電池ケースカバー７の上面７０に付着している煮汁が基部５０に触れると、触れた部分に煮汁が付着するのは勿論のこと、上面７０と基部５０との間を毛細管現象によって煮汁が伝って、煮汁による汚れが広がってしまう。逃げ凹部５２が設けられることにより、煮汁による汚れが広がるのを抑制することができる。
【００８０】
なお、第１実施形態では、逃げ凹部５２は任意の構成であり、加熱調理器１に設けられなくてもよい。
【００８１】
次に、本発明に係る加熱調理器の電池ケースの収納構造の第２実施形態について、図９に基いて説明する。なお、第２実施形態に係る加熱調理器の電池ケースの収納構造は、第１実施形態に係る加熱調理器の電池ケースの収納構造と大部分において同じである。このため、第１実施形態と重複する説明については、同符号を付して説明を省略する。
【００８２】
第１実施形態においては、電池ケースカバー７の上面７０に、必須構成要件としての傾斜７２をした上で、壁部８を任意の構成として有するものであった。
【００８３】
これに対して、第２実施形態においては、電池ケースカバー７の上面７０は、傾斜７２を有さず、平坦に形成されている。そして、電池ケースカバー７の上面７０に、必須構成要件として壁部８を有するものである。
【００８４】
壁部８により、電池ケースカバー７の上面７０にこぼれ落ちた煮汁が後方Ｂへ伝うのが抑制されて、電池ケースカバー７の後端７１から電池ケース６内にこぼれ落ちるのが抑制される。
【００８５】
また、第２実施形態でも、任意の構成として配線保持部８１を有してもよい。配線を配線保持部８１により、配線に煮汁が付着したり、さらに配線に付着した煮汁が別の部材に付着したりして、煮汁による汚れが広がるのを抑制することができる。
【００８６】
次に、上述した加熱調理器の電池ケースの収納構造の変形例について説明する。
【００８７】
第１実施形態および第２実施形態では、加熱調理器１は、ビルトイン型のグリル付きガスコンロであったが、ビルトイン型でなくてもよい。さらに、加熱調理器１は、グリル付きガスコンロに限定されず、グリル１２を備えないガスコンロであってもよい。またさらに、加熱調理器１は、バーナを有するものではなく、電磁誘導加熱（Induction Heating、いわゆるＩＨ）を行うＩＨ加熱調理器でもよく、特に限定されない。
【００８８】
第１実施形態および第２実施形態では、本体ケーシング２を構成する筐体２０は、底板、左右の側板、後板を備えていたが、底板、左右の側板および後板を備えなくてもよい。また、前面部２３は、前面パネル２４とグリル扉１２１とにより構成されていたが、前面パネル２４とグリル扉１２１とにより構成されなくてもよい。また、本体ケーシング２は、上面部２２を構成する天板２１と筐体２０とが別体であったが、上面部２２を一体としてもよい。
【００８９】
第１実施形態および第２実施形態では、加熱手段３は、コンロバーナ３０およびグリルバーナにより構成されていたが、コンロバーナ３０のみにより構成されてもよい。またさらに、加熱手段３は、バーナではなく、電磁誘導加熱を行うものでもよく、特に限定されない。
【００９０】
第１実施形態および第２実施形態では、コンロバーナ３０として、左コンロバーナ３０Ａ、奥コンロバーナ３０Ｂおよび右コンロバーナ３０Ｃの三個が設けられていたが、コンロバーナの個数や設けられる位置は限定されない。
【００９１】
第１実施形態および第２実施形態では、加熱部１１は、コンロバーナ３０により構成されていたが、特にコンロバーナ３０により構成されなくてもよく、また、五徳１１１は設けられなくてもよい。例えば、天板２１の上面のコンロバーナ挿通口の周囲を加熱部１１とし、加熱対象が載置されるようにしてもよい。また、ＩＨ加熱調理器の場合には、天板２１の上面がそのまま加熱部１１となる。加熱部１１の個数は限定されず、通常はコンロバーナ３０と同じ個数の加熱部１１が設けられる。
【００９２】
第１実施形態および第２実施形態では、カンガルーポケット機構により、操作部４が操作部使用位置と操作部収納位置との間で移動可能となるものであったが、カンガルーポケット機構によらなくてもよい。例えば、引出しに操作部４が設けられることにより、操作部４が操作部使用位置と操作部収納位置との間で移動可能となってもよい。
【００９３】
第１実施形態および第２実施形態では、カンガルーポケット機構において、側枠部５１が側面視三角形状をしていたが、側枠部５１の形状は特に限定されない。また、回動枠５は、正面視コ字状をしたものであったが、正面視ロ字状をしたものでもよく、形状は特に限定されない。
【００９４】
第１実施形態では、電池ケースカバー７の上面７０の頂点部７２１が左右方向の中央に位置しているが、頂点部７２１は上面７０の左右方向の中央でなくてもよい。
【００９５】
第１実施形態では、電池ケースカバー７の上面７０が、左右方向において中間部から両側の側端縁７３の方へ行くにしたがって下方に位置する傾斜７２を有する形状となっている。これに対して、電池ケースカバー７の上面７０が、左右方向における一方の側端縁７３から他方の側端縁７３の方へ行くにしたがって下方に位置する傾斜７２を有する形状であってもよい。これにより、上面７０に、下る方向が異なる二つの傾斜７２を形成する必要がなくなる。
【符号の説明】
【００９６】
１    加熱調理器
１１  加熱部 
２    本体ケーシング
２２  上面部 
２３  前面部 
３    加熱手段
４    操作部 
５    回動枠
５０  基部
５２  逃げ凹部
６    電池ケース
６１  後端
７    電池ケースカバー
７０  上面
７１  後端
７２  傾斜
７３  側端縁
８    壁部
８１  配線保持部
【図１】
2018181731.tif 000003
【図２】
2018181731.tif 000004
【図３】
2018181731.tif 000005
【図４】
2018181731.tif 000006
【図５】
2018181731.tif 000007
【図６】
2018181731.tif 000008
【図７】
2018181731.tif 000009
【図８】
2018181731.tif 000010
【図９】
2018181731.tif 000011